(57)【特許請求の範囲】
【請求項１】
閂受けが４枚のプレート片を無端状に回転自在に連結して成り、該４枚のプレート片が一方向に付勢され、該４枚のプレート片を矩形形状に保持するストッパを設け、前記４枚のプレート片が折畳まれた状態で該４枚のプレート片に係合するホルダを設けたことを特徴とする閂施錠装置。
【請求項２】
閂受けが垂直軸心を中心に回転する閂支承板を具備する請求項１の閂施錠装置。
【請求項３】
閂受けがシャッタの側柱、中柱又はガイドレールに設けられ、閂受けに掛渡された閂によりシャッタカーテンの撓みを防止する請求項１の閂施錠装置。
【発明の詳細な説明】
【０００１】
【発明の属する技術分野】
本発明は両開きドア等をロックする場合に用いられる閂施錠装置、特に閂受けの改良に関するものである。
【０００２】
【従来の技術】
両開きドアを施錠する閂施錠装置としては従来、図１１に示されるものがある。
【０００３】
出入り口左右に立設する左右の門柱１（一方は図示せず）にロッド材等をコの字状に成形した閂受け２を固着し、両閂受け２に掛渡る閂３の端部を前記閂受け２に挿通することで施錠が行われていた。
【０００４】
【発明が解決しようとする課題】
従来の閂施錠装置の閂受け２は使用状態、不使用状態に拘らず固定で常時突出しているので意匠上好ましくなく、又人の移動、物の移動でぶつかったりすることがあった。
【０００５】
本発明は斯かる実情に鑑み、閂施錠装置に於いて意匠性を向上させると共に人、物の移動の障害になることのない様にしようとするものである。
【０００６】
【課題を解決するための手段】
本発明は、閂受けが折畳み可能な閂施錠装置に係り、又閂受けが４枚のプレート片を無端状に回転自在に連結して成る閂施錠装置に係り、又閂受けが垂直軸心を中心に回転する閂支承板を具備する閂施錠装置に係り、更に閂受けがシャッタの側柱、中柱又はガイドレールに設けられ、閂受けに掛渡された閂によりシャッタカーテンの撓みを防止する閂施錠装置に係るものであり、閂施錠装置の不使用時には閂受けを折畳めるので、邪魔にならず、又意匠性に優れる。
【０００７】
【発明の実施の形態】
以下、図面を参照しつつ本発明の実施の形態を説明する。
【０００８】
図１に於いて本発明の第１の実施の形態を説明する。
【０００９】
出入り口左右に立設する左右の門柱１（１方は図示せず）に閂受け５を固着し、両閂受け５に閂３の端部が嵌入可能とする。
【００１０】
前記閂受け５は２枚、２対のプレート片６，７を順次回転自在に連結して無端状の平行四辺形とし、更に垂直のプレート片７の１方を前記門柱１に固着したものである。各プレート片６，７が直交する如く保持すると図１に示される様に矩形形状となり、プレート片６，７に外力を与えない状態では重力により垂下し、折畳まれてプレート片６，７が一枚の板状となる。
【００１１】
施錠は閂受け５を矩形形状とし、該閂受け５に閂３の端部を嵌入して行う。
【００１２】
図２、図３は該実施の形態の実施例を示すものであり、４枚のプレート片６，７を丁番８を介して連結し、相互に回転自在としたものである。閂３を嵌入した状態では該閂３により閂受け５が矩形形状に保持され、前記閂３を引抜くと図３の様にプレート片６，７が垂下して偏平な形状となる。
【００１３】
図４〜図８は第２の実施の形態を示すものであり、該第２の実施の形態では本発明がシャッタの撓み防止に実施されたものである。
【００１４】
図中、１０はシャッタ、１１は該シャッタ１０のシャッタカーテン収納部、１２は側柱、１３は中柱、１４はシャッタカーテンを示している。
【００１５】
前記左右側柱１２にそれぞれ閂受け１５が設けられ、前記中柱１３には閂受け５が設けられる。施錠は２本の閂３により行われ、該閂３の一端は前記閂受け１５に支持され、又他端は前記閂受け５に支持され、２本の閂３の閂受け５側（中央側）の端部は連結装置１６により連結されている。
【００１６】
次に前記閂受け１５、連結装置１６を説明する。尚前記閂受け５については前述したものと同様であるので説明は省略する。
【００１７】
前記閂受け１５は丁番１７と該丁番１７を介して前記側柱１２に取付けられた閂支承板１８を有し、該閂支承板１８は垂直軸心を中心に回転自在に設けられると共に該閂支承板１８には前記閂３が嵌合する凹部１９が形成されている。前記閂３の端面には端板２０が固着され、該端板２０は該閂３の外径より周縁部が食出している形状を有している。而して、前記閂３を前記閂支承板１８に嵌合した場合、前記端板２０により脱落が防止される。前記閂受け１５を使用しない場合は、閂支承板１８を反対側に回転させ前記左右側柱１２の側面に沿せる。
【００１８】
前記連結装置１６を説明する。
【００１９】
前記それぞれの閂３の中央側端近傍にボルト２１をシャッタカーテン側に突出する様に取付け、一方の閂３（図中左側の閂３）のボルト２１に断面Ｌ字状の連結板２２を回転自在に取付け、又前記ボルト２１には蝶ナット２３を螺合して前記連結板２２の脱落を防止する。該連結板２２の自由端側には凹切部２４を欠切し、該凹切部２４は前記他方の閂３（図中右側の閂３）のボルト２１に嵌合可能とし、又該ボルト２１には予め蝶ナット２３を螺合しておく。而して、前記２本の閂３を前記閂受け５に嵌合させ、前記連結板２２を回転させて前記凹切部２４と前記ボルト２１とを嵌合させ、次に前記２個の蝶ナット２３を締付ければ、前記２本の閂３が連結される。
【００２０】
尚、該第２の実施の形態に於いて、前記閂受け１５を前記閂受け５の代わりに前記中柱１３に設けてもよく、或は前記閂受け５を前記閂受け１５の代わりに前記側柱１２に取付けてもよい。
【００２１】
前記した如く、閂３を前記閂受け１５及び閂受け５に嵌合させシャッタカーテン１４に掛渡って閂３が設けられたことで、強風時のシャッタカーテン１４の撓みを防止し得、該シャッタカーテン１４がガイドレールより外れることが防止される。
【００２２】
次に、図９、図１０により、閂受け５の他の実施例を説明する。
【００２３】
垂直主プレート片２５に丁番８を介して上下一対の水平プレート片２６を回転自在に設け、又該上下一対の水平プレート片２６に丁番８を介して垂直プレート片２７を連結する。前記垂直主プレート片２５の上端部は直角に折曲げストッパ部２５ａとし、前記垂直主プレート片２５の下端部には弾性板材、例えば薄肉鋼板から成るホルダ２８が設けられている。前記垂直主プレート片２５と上側の前記水平プレート片２６を連結する丁番８ａにはキックバネ２９が設けられ、閂受け５を上方に付勢している。又、前記垂直プレート片２７には手掛け孔３０が穿設されている。
【００２４】
前記閂受け５を拘束しない状態では、前記キックバネ２９により前記閂受け５は上方に付勢され、更に前記水平プレート片２６が水平となった状態で前記ストッパ部２５ａに係合するので、水平プレート片２６のそれ以上の上方への回転が拘束される。而して、前記閂受け５は矩形形状に保持される。従って、前記水平プレート片２６の形状を手等で保持する必要がないので施錠作業が簡単に行える。又、前記閂受け５を収納させる場合は、前記キックバネ２９に抗して前記閂受け５を押下げる。該閂受け５が最下位置迄押下げられると下端に位置する前記丁番８が前記ホルダ２８に係合して収納状態が保持される。更に、収納状態を脱するには前記手掛け孔３０に指を引掛け上方に引上げ、前記ホルダ２８の係合を解除してやればよい。
【００２５】
尚、前記キックバネ２９は上側の前記水平プレート片２６と前記垂直プレート片２７とを連結する丁番８ｂに設けてもよい。又、前記水平プレート片２６を矩形形状に保持する手段として前記キックバネ２９、前記ストッパ部２５ａに代えて、回転部に爪を形成したラッチ方式であってもよい。又前記ストッパ部２５ａを前記垂直主プレート片２５の下端に設け、前記ホルダ２８を上方に設け、閂受け５を上方に折畳む様にし、前記キックバネ２９を省略してもよい。更に、図４で示した実施の形態では２本の閂３を使用したが一本の閂３を通しで使用してもよい。又、前記閂受け５、閂受け１５を折畳み可能とする場合の回転可能な連結部は、丁番以外の連結方法、例えばプレート片をピン等により直接連結する等種々考えられる。
【００２６】
【発明の効果】
以上述べた如く本発明によれば、閂を保持する閂受けを折畳むことができるので、不使用時に閂受けが突出することなく意匠性が向上し、又人、物の移動時の障害になることがないという優れた効果を発揮する。
【図面の簡単な説明】
【図１】本発明の第１の実施の形態を示す概略斜視図である。
【図２】同前実施の形態に於ける閂受けの側面図である。
【図３】同前実施の形態に於ける閂受けの折畳んだ状態の側面図である。
【図４】第２の実施の形態を示す正面図である。
【図５】同前実施の形態を示す側面図である。
【図６】同前実施の形態を示す正面拡大図である。
【図７】同前実施の形態を示す側面拡大図である。
【図８】同前実施の形態を示す側面拡大図である。
【図９】他の閂受けを示す斜視図である。
【図１０】該他の閂受けが畳まれた状態の部分図である。
【図１１】従来例を示す斜視図である。
【符号の説明】
１          門柱
３          閂
５          閂受け
８          丁番
１２        側柱
１３        中柱
１５        閂受け
１８        閂支承板
２２        連結板
２８        ホルダ
２９        キックバネ
【図１】
0003541907.tif 000002
【図２】
0003541907.tif 000003
【図３】
0003541907.tif 000004
【図４】
0003541907.tif 000005
【図５】
0003541907.tif 000006
【図６】
0003541907.tif 000007
【図７】
0003541907.tif 000008
【図８】
0003541907.tif 000009
【図９】
0003541907.tif 000010
【図１０】
0003541907.tif 000011
【図１１】
0003541907.tif 000012